(57)【要約】【課題】脈波の取得、並びに生体情報（脈拍など）の検出を、高精度に行う。【解決手段】生体（指）に対して検出光を発光するＬＥＤ３１と、検出光のうち、生体から散乱した光を受光するＰＤ４２と、ＰＤ４２で受光した検出光に基づいて、生体情報を取得する脈波取得・処理部と、を備え、ＬＥＤ３１の指向角θ1、及びＬＥＤ３１と生体との距離Ｌを用いて、半径Ｄ1がＤ1＝Ｌ・ｔａｎ（θ1／２）として表される生体上の第１円形範囲と、ＰＤ４２の指向角θ2、及び距離Ｌを用いて、半径Ｄ2がＤ2＝Ｌ・ｔａｎ（θ2／２）として表される生体上の第２円形範囲と、の最短距離Ｄ3が、０≦Ｄ3≦２（Ｄ1＋Ｄ2）を満たしている。【選択図】図５
2012050746.tif 000002
【特許請求の範囲】
【請求項１】
生体に対して検出光を発光する検出用発光素子と、
前記検出光のうち、前記生体にて散乱した光を受光する検出用受光素子と、
前記検出用受光素子で受光した前記光に基づいて、生体情報を取得する取得部と、を備え、
前記検出用発光素子の指向角θ1、及び前記検出用発光素子と前記生体との距離Ｌを用いて、半径Ｄ1がＤ1＝Ｌ・ｔａｎ（θ1／２）として表される該生体上の第１円形範囲と、前記検出用受光素子の指向角θ2、及び前記距離Ｌを用いて、半径Ｄ2がＤ2＝Ｌ・ｔａｎ（θ2／２）として表される生体上の第２円形範囲と、の最短距離Ｄ3が、
０≦Ｄ3≦２（Ｄ1＋Ｄ2）
の式を満たすことを特徴とする生体情報検出装置。
【請求項２】
前記検出用受光素子は、前記検出用発光素子とは別の発光素子とともに一のモジュールに含まれ、前記検出用発光素子は、前記一のモジュールに含まれないことを特徴とする請求項１に記載の生体情報検出装置。
【請求項３】
前記検出光用発光素子は、前記検出用受光素子とは異なる受光素子とともに、前記一のモジュールとは異なる他のモジュールに含まれることを特徴とする請求項２に記載の生体情報検出装置。
【請求項４】
前記一のモジュールでは、前記別の発光素子と前記検出用受光素子とが所定の一軸方向に沿って配置され、前記他のモジュールでは、前記検出用発光素子と前記別の受光素子とが前記一軸方向に沿って、前記一のモジュールとは逆の順序で配置され、
前記一のモジュールと前記他のモジュールは、前記一軸方向に垂直な他軸方向に沿って配列されていることを特徴とする請求項３に記載の生体情報検出装置。
【請求項５】
前記取得部は、前記検出用受光素子で受光した光から得られるアナログ信号を取得し、当該アナログ信号に基づいて、前記生体情報を検出することを特徴とする請求項１〜４のいずれか一項に記載の生体情報検出装置。
【請求項６】
生体に対して検出光を発光する検出用発光素子と、
前記検出光のうち、前記生体にて散乱した光を受光する検出用受光素子と、
前記検出用受光素子で受光した光に基づいて、生体情報を取得する取得部と、を備え、
前記検出用受光素子は、前記検出用発光素子とは別の発光素子とともに一のモジュールに含まれ、前記検出用発光素子は、前記一のモジュールに含まれないことを特徴とする生体情報検出装置。
【請求項７】
請求項１〜６のいずれか一項に記載の生体情報検出装置を備える携帯端末。
【発明の詳細な説明】
【技術分野】
【０００１】
本件は、生体情報検出装置及び携帯端末に関する。
【背景技術】
【０００２】
近年、携帯電話などの携帯端末（以下、単に「携帯電話」と呼ぶ）には様々な機能が搭載されてきている。最近では、生体情報として脈波や脈拍等を測定する機能を有する携帯電話も出現してきている。このような携帯電話では、脈波等の測定に、例えば、携帯電話に搭載されている人物や風景を撮影するためのカメラが利用される。
【０００３】
また、カメラを用いた測定よりも高精度に脈波を測定することが可能な技術として、発光素子と受光素子とを用いた技術がある。この発光素子と受光素子を用いた技術の一例として、特許文献１に記載の技術が挙げられる。特許文献１では、赤外線通信のために携帯電話に予め搭載されているＩｒＤＡ（Infrared Data Association）を用いて、脈波のセンシングを行っている。ここで、ＩｒＤＡは、赤外光を発光する発光素子と赤外光を受光可能な受光素子とを備えている。
【先行技術文献】
【特許文献】
【０００４】
【特許文献１】特開２００６−２６２１０号公報
【発明の概要】
【発明が解決しようとする課題】
【０００５】
ここで、携帯電話に搭載されているＩｒＤＡの発光素子と受光素子は、赤外線通信用に定められた規格に準じて設計されている。規格に準じたＩｒＤＡでは、発光素子と受光素子との指向角が制限されており、また、各素子の間隔が比較的広くとられている。このため、上記特許文献１のように、赤外線通信用に設けられたＩｒＤＡを脈拍測定にそのまま流用しようとしても、脈拍を高精度に測定できる可能性は低いと考えられる。これは、指向角が制限され、間隔が広く取られた各素子を用いて脈拍測定するには、各素子と生体（指など）との距離を一定以上とる必要があり、携帯電話においては携帯電話の厚み方向に距離を一定以上とらなければならない。したがって、最近のように小型化が進む携帯電話では、当該距離を確保するのが難しいからである。
【０００６】
そこで本件は上記の課題に鑑みてなされたものであり、高精度に生体情報を検出することが可能な生体情報検出装置及び携帯端末を提供することを目的とする。
【課題を解決するための手段】
【０００７】
本明細書に記載の生体情報検出装置は、生体に対して検出光を発光する検出用発光素子と、前記検出光のうち、前記生体にて散乱した光を受光する検出用受光素子と、前記検出用受光素子で受光した前記光に基づいて、生体情報を取得する取得部と、を備え、前記検出用発光素子の指向角θ1、及び前記検出用発光素子と前記生体との距離Ｌを用いて、半径Ｄ1がＤ1＝Ｌ・ｔａｎ（θ1／２）として表される該生体上の第１円形範囲と、前記検出用受光素子の指向角θ2、及び前記距離Ｌを用いて、半径Ｄ2がＤ2＝Ｌ・ｔａｎ（θ2／２）として表される生体上の第２円形範囲と、の最短距離Ｄ3が、０≦Ｄ3≦２（Ｄ1＋Ｄ2）の式を満たしている。
【０００８】
本明細書に記載の生体情報検出装置は、生体に対して検出光を発光する検出用発光素子と、前記検出光のうち、前記生体にて散乱した光を受光する検出用受光素子と、前記検出用受光素子で受光した光に基づいて、生体情報を取得する取得部と、を備え、前記検出用受光素子は、前記検出用発光素子とは別の発光素子とともに一のモジュールに含まれ、前記検出用発光素子は、前記一のモジュールに含まれない生体情報検出装置である。
【０００９】
本明細書に記載の携帯端末は、本明細書に記載の生体情報検出装置を備えている。
【発明の効果】
【００１０】
本明細書に記載の生体情報検出装置及び携帯端末は、高精度に生体情報を検出することができるという効果を奏する。
【図面の簡単な説明】
【００１１】
【図１】一実施形態に係る携帯電話を示す斜視図である。
【図２】図２（ａ）、図２（ｂ）は、ＩｒＤＡ装置を模式的に示す図である。
【図３】第１モジュール及び第２モジュールの制御系を示す図である。
【図４】駆動回路と、主制御装置の具体的な構成を示す図である。
【図５】ＬＥＤ３１、ＰＤ４２の配置を模式的に示す図である。
【図６】式（２）、（３）を表したグラフである。
【図７】図７（ａ）、図７（ｂ）は、Ｄ1、Ｄ2、Ｄ3のシミュレーション結果を示す図（その１）である。
【図８】図８（ａ）、図８（ｂ）は、Ｄ1、Ｄ2、Ｄ3のシミュレーション結果を示す図（その２）である。
【図９】図９（ａ）、図９（ｂ）は、赤外線通信と脈波計測を行う場合の、ＬＥＤの発光タイミングとＰＤの受光タイミングを示した図である。
【図１０】図１０（ａ）、図１０（ｂ）は、変形例を示す図（その１）である。
【図１１】図１１（ａ）、図１１（ｂ）は、変形例を示す図（その２）である。
【発明を実施するための形態】
【００１２】
以下、携帯端末の一実施形態について、図１〜図９に基づいて詳細に説明する。図１には、携帯端末としての携帯電話１００が斜視図にて示されている。この携帯電話１００は、いわゆる折り畳み型の携帯電話であり、第１筐体１１と、第２筐体１２と、を備える。第１筐体１１は、操作ボタン１３を有する。第１筐体１１の内部には、携帯電話１００における処理を行う回路基板や、電池パックなどが設けられている。第２筐体１２には、モニタなどが設けられており、第１筐体１１に対して起伏回動可能なようにヒンジ部１４にて接続されている。
【００１３】
第１筐体１１のヒンジ部１４近傍には、ＩｒＤＡ装置１０が設けられている。このＩｒＤＡ装置１０は、他の携帯電話との間で赤外線通信を行う機能を有するとともに、ユーザの指（生体）に対して赤外光を照射し、指から散乱した光を受光することで、脈波や脈拍を測定する機能を有する。
【００１４】
ＩｒＤＡ装置１０は、図２（ａ）に模式的に示すように、第１モジュール２１と、第２モジュール２２とを備える。第１モジュール２１と第２モジュール２２とは、図２（ａ）におけるＹ軸方向に近接して（素子間距離ｄとなるように）配置されている。なお、素子間距離ｄについては、後で詳細に説明する。
【００１５】
第１モジュール２１は、検出用発光素子としてのＬＥＤ（Light Emitting Diode）３１と、別の受光素子としてのＰＤ（Photodiode）３２とを有する。ＬＥＤ３１とＰＤ３２は、Ｘ軸方向に所定間隔をあけて配置されている。ここで、所定間隔は、ＩｒＤＡ規格により定められた間隔である。また、ＬＥＤ３１とＰＤ３２の指向角（中心の光の明るさが半分の明るさの値になる角度（半値角とも呼ばれる））も、ＩｒＤＡ規格により定められている。
【００１６】
第２モジュール２２は、別の発光素子としてのＬＥＤ４１と、検出用受光素子としてのＰＤ４２とを有する。ＬＥＤ４１とＰＤ４２は、ＬＥＤ３１，ＰＤ３２と同様、Ｘ軸方向に所定間隔をあけて配置されているが、その配置順は、ＬＥＤ３１とＰＤ３２の配置順とは逆の順序となっている。したがって、ＩｒＤＡ装置１０全体で見ると、ＬＥＤ３１とＰＤ４２とが近接し、ＬＥＤ４１とＰＤ３２とが近接した状態となっている。なお、第２モジュール２２における上記所定間隔は、ＩｒＤＡ規格により定められた間隔であり、また、ＬＥＤ４１とＰＤ４２の指向角もＩｒＤＡ規格により定められている。
【００１７】
ここで、ＬＥＤ３１は、生体（指）に対して赤外光を発光するためのＬＥＤである。また、ＰＤ４２は、ＬＥＤ３１から発光された赤外光のうち、指から散乱した光を受光するためのＰＤである。
【００１８】
なお、詳細については後述するが、本実施形態では、検出用発光素子としてのＬＥＤ３１と検出用受光素子としてのＰＤ４２を用いることで、生体情報としての脈波の検出が行われる。また、本実施形態では、ＬＥＤ３１と、別の受光素子としてのＰＤ３２とを用いて、他の携帯電話との通信が行われる。
【００１９】
第１、第２モジュール２１，２２は、図２（ｂ）に模式的に示すように、第１筐体１１に形成された貫通孔１１ａを介して、第１筐体１１内部に設けられている。貫通孔１１ａには、可視光カットフィルタ５０が設けられている。可視光カットフィルタ５０は、可視光を透過させずに赤外線領域の光を透過させるフィルタである。
【００２０】
図３には、第１モジュール２１、第２モジュール２２の制御系が示されている。この図３に示すように、第１モジュール２１では、ＬＥＤ３１、ＰＤ３２が、駆動回路３３に接続され、第２モジュール２２では、ＬＥＤ４１、ＰＤ４２が、駆動回路４３に接続されている。駆動回路３３，４３は、主制御装置６０に接続されており、当該主制御装置６０により、駆動回路３３，４３や、ＬＥＤ３１，４１及びＰＤ３２，４２の制御が行われる。
【００２１】
図４には、駆動回路３３，４３と、主制御装置６０の具体的な構成が示されている。駆動回路４３は、従来から用いられているＩｒＤＡ用の駆動回路に７番目の端子として、端子ＲＸＤ２を設けている点に特徴を有している。この端子ＲＸＤ２は、アナログ出力端子であり、ＰＤ４２から出力され、Ｉ―Ｖアンプを通過した後の信号（アナログ信号）を取り出して出力する（図４の太線参照）。なお、第１モジュール２１側の駆動回路３３は、従来から用いられている駆動回路そのものを用いている。すなわち、駆動回路３３には、駆動回路４３のような端子ＲＸＤ２は設けられていない。
【００２２】
主制御装置６０は、制御部６２、２次ＨＰＦ（High-pass filter）６４、サンプルフォールド６６、アンプ６８、２次ＬＰＦ（Low-pass filter）７０、アンプ７２、Ａ／Ｄ変換器７４、脈波取得・処理部７６を有する。駆動回路４３の端子ＲＸＤ２から出力されたアナログ信号は、主制御装置６０の各部（６４〜７４）において信号処理され、最終的にデジタル信号として、脈波取得・処理部７６に入力される。
【００２３】
脈波取得・処理部７６は、デジタル信号として得た脈波の情報を用いて、脈拍を検出したり、その他の生体情報、例えば、血管年齢や皮下脂肪厚の検出処理を行う。ここで、主制御装置６０では、端子ＲＸＤ２からアナログ信号を取得しているので、デジタル信号を取得する場合と比較して、データの解析自由度を向上することができる。すなわち、各部６４〜７４を適宜変更することで、例えば、解析において時間軸が重要となるサンプリングレートの高い計測（血管年齢などの計測）や、振幅値が重要となる皮下脂肪厚の計測を適切に行うことが可能である。
【００２４】
次に、図５〜図８に基づいて、脈波を検出するのに用いるＬＥＤ３１とＰＤ４２との間の間隔（素子間距離ｄ（図５及び図２（ａ）参照））について、詳細に説明する。
【００２５】
まず、素子間距離ｄを決定するための前提について説明する。
【００２６】
図５は、ＬＥＤ３１、ＰＤ４２の配置を模式的に示す図である。この図５において、ＬＥＤ３１から照射された赤外光が、ユーザの指（生体）に入射するときの光量について検討する。ＬＥＤ３１から照射される赤外光の光量をＩ、ＬＥＤ３１及びＰＤ４２から指（生体）までの距離をＬ、指に入射する光量をＩ0、光束の拡散によって作り出される角度（指向角）をθ1、開口径を２Ｄ1とすると、Ｉ0は、立体投射法を用いて次式（１）にて表すことができる。
【００２７】
【数１】
2012050746.tif 000003
【００２８】
ここで、Ｄ1は、Ｌとθ1から求まる値（Ｄ1＝Ｌ・ｔａｎ（θ1／２））であるので、Ｌが一定であるならば、Ｉ0は角度θ1に依存することになる。この場合、角度θ1は、前述のように、ＩｒＤＡ規格により一定値として固定されるので、指に入射する光量Ｉ0は、一定になる。
【００２９】
次に、指に入射した光量Ｉ0の光が、図５の紙面横方向に距離ｄだけ生体内を進んだときの強度（到達光量）Idについて検討する。この場合、散乱・吸収係数をＣとすると、到達光量Ｉdは、次式（２）にて表すことができる。なお、距離ｄは、素子間距離ｄと同一である。
Ｉd＝Ｉ0×ｅ-cd          …（２）
【００３０】
上式（２）において、ある波長の光の散乱・吸収係数を代入すれば、距離ｄにおける到達光量Ｉdを求めることができる。
【００３１】
さらに、別の観点から、入射光量Ｉ0と到達光量Ｉdについて検討する。酸化ヘモグロビン（oxy-Hb）と還元ヘモグロビン（deoxy-Hb）の伝達する光に対する影響度（含有量）は、ln（Ｉd／Ｉ0）と表される。この影響度ln（Ｉd／Ｉ0）は、酸化ヘモグロビンの吸光度をεoxy、濃度をμoxy、還元ヘモグロビンの吸光度をεdeoxy、濃度をμdeoxy、とすると、Lambert-Beer（ランベルト・ベール）の法則から、次式（３）のように表すことができる。
ln（Ｉd／Ｉ0）＝−（εoxy・μoxy−εdeoxy・μdeoxy）・ｄ        …（３）
【００３２】
上式（２）、（３）をグラフに表したのが、図６である。この図６に示すように、光路長（距離ｄに相当）が伸びるとＰＤ４２に戻ってくる光（到達光量）に対して脈波成分（影響度（含有量））が増える。一方、ＰＤ４２に戻ってくる光（到達光量）が減少すると、Ｓ／Ｎが悪くなる可能性が高い。すなわち、図６に破線にて示すような範囲に、距離ｄ（＝素子間距離ｄ）の最適解が存在することが予測される。
【００３３】
本発明者は、上記のような範囲に最適解が存在することに着目して、鋭意研究を行った結果、素子間距離ｄとして、以下のような範囲を最適解として定義することができることを見出した。
【００３４】
すなわち、ＬＥＤ３１の指向角をθ1、ＬＥＤ３１と生体（指）との距離をＬとした場合に、図５に示す生体上の第１円形範囲Ｓ１の半径Ｄ1は、Ｄ1＝Ｌ・ｔａｎ（θ1／２）として表される。また、ＰＤ４２の指向角をθ2とした場合、図５に示す生体上の第２円形範囲Ｓ２の半径Ｄ2は、Ｄ2＝Ｌ・ｔａｎ（θ2／２）として表される。また、第１円形範囲Ｓ１と第２円形範囲Ｓ２との最短距離をＤ3とすると、素子間距離ｄは、次式（４）で表される。
ｄ＝Ｄ1＋Ｄ2＋Ｄ3      …（４）
この場合において、本発明者は、数々のシミュレーションを行った結果、最短距離Ｄ3が次式（５）を満たすような、素子間距離ｄを、最適解として定義できることを見出したのである。
０≦Ｄ3≦２（Ｄ1＋Ｄ2）      …（５）
【００３５】
図７（ａ）には、本発明者により行われた数々のシミュレーションのうちの１つの構成が示されている。このシミュレーション例では、本実施形態のように、第１モジュール２１に含まれるＬＥＤ３１と、第２モジュール２２に含まれるＰＤ４２との素子間距離ｄを検討した。この場合、各素子３１，４２と生体（指）との距離は１０．４ｍｍとした。また、ＬＥＤ３１の指向角θ1を、３０°とし、ＰＤ４２の指向角θ2を、３０°とした。
【００３６】
本シミュレーション例では、上式（４）、（５）を満足する素子間距離ｄは、図７（ｂ）に示す範囲δとなる。ここで、到達光量と脈波振幅とは光路長に対しほぼ同様の変化を示すと想定される（図７（ｂ）の二点鎖線参照）ところ、範囲δ内においては、当該想定される変化よりも大きな脈波振幅を得ることができることがわかる。すなわち、素子間距離ｄが範囲δ内であれば、到達光量に対して大きな脈波振幅を得ることができ、換言すれば、範囲δが素子間距離ｄの最適解であるということができる。
【００３７】
図８（ａ）には、本発明者により行われた数々のシミュレーションのうちの別の構成が示されている。このシミュレーション例では、ＬＥＤを第１モジュール２１とは異なるＬＥＤ３１’に変更して、素子間距離ｄを検討した。この場合、各素子３１’，４２と生体（指）との距離は６．２ｍｍとした。また、ＬＥＤ３１’の指向角θ1’を、６０°とした。
【００３８】
本シミュレーション例では、上式（４）、（５）を満足する素子間距離ｄは、図８（ｂ）に示す範囲δ’となる。この場合においても、図７（ｂ）と同様、到達光量と脈波振幅とは光路長に対しほぼ同様の変化を示すと想定される（図８（ｂ）の二点鎖線参照）ところ、範囲δ’内であれば、当該想定される変化よりも大きな脈波振幅を得ることができることがわかる。すなわち、素子間距離ｄが範囲δ’内であれば、到達光量に対して大きな脈波振幅を得ることができ、換言すれば、範囲δが素子間距離ｄの最適解であるということができる。
【００３９】
なお、本発明者が行った数々のシミュレーション結果からは、素子間距離ｄが上式（４）、（５）を満足していれば、図７（ｂ）、図８（ｂ）のように、到達光量に対して大きな脈派振幅を得ることができることが確認されている。
【００４０】
このようなシミュレーション結果を考慮して、本実施形態では、素子間距離ｄが、上式（４）、（５）を満たすように、第１モジュール２１と第２モジュール２２とを配置している。なお、上式（４）、（５）を満たす素子間距離ｄは、ＩｒＤＡ規格に基づいて設計されたモジュールにおいては実現できない素子間距離である可能性が高い。したがって、本実施形態では、２つのモジュール２１，３１を用いて、上記素子間距離ｄを実現しているのである。
【００４１】
次に、第１モジュール２１と第２モジュール２２を用いた処理について説明する。
【００４２】
図９（ａ）、図９（ｂ）は、赤外線通信と脈波計測を行う場合の、ＬＥＤ３１及び４１の発光タイミングとＰＤ３２及び４２の受光タイミングを示した図である。
【００４３】
図９（ａ）に示すように、赤外線通信においては、一方のモジュールのみ（ここでは、第１モジュール２１（ＬＥＤ３１、ＰＤ３２））を用いて通信を行う。この場合、ＬＥＤ３１からの赤外光がモジュール内で漏れる場合もあるが、このような漏れ光をＰＤ３２が受光するのを確実に防止するため、図９（ａ）に示すように、ＬＥＤ３１が発光している間は、ＰＤ３２では受光を停止する。すなわち、本実施形態において赤外線通信を行う場合には、ＬＥＤ３１とＰＤ３２とは同時に動作しないようになっている。なお、赤外線通信を行う場合には、制御部６２から送信される制御信号が、図４の駆動回路３３の３番目の端子ＴＸＤから入力されることで、ＬＥＤ３１の発光が行われる。また、制御部６２は、ＰＤ３２からの出力を、４番目の端子ＲＸＤを介して、デジタル信号にて取得する。
【００４４】
これに対し、図９（ｂ）に示すように、脈波計測においては、ＬＥＤ３１とこれに近接するＰＤ４２とを同じタイミングで駆動する。これにより、ＬＥＤ３１からの発光を利用した脈波計測を行うことが可能である。この場合、前述したように、素子間距離ｄが上式（４）、（５）の範囲とされているため脈波を高精度に検出することが可能である。また、ＬＥＤ３１が発光して、当該光がモジュール内で漏れたとしても、ＬＥＤ３１と同一モジュール内に存在しているＰＤ３２は駆動していないのでＰＤ３２の出力には何ら影響がない。更に、ＬＥＤ３１とＰＤ４２とを同時に駆動しても、各素子は別モジュールであるため、モジュール内の漏れ光がＰＤ４２に影響することはない。なお、脈波計測においては、制御部６２から送信される制御信号が、図４の駆動回路３３の３番目の端子ＴＸＤから入力されることで、ＬＥＤ３１の発光が行われる。また、制御部６２は、ＰＤ４２からの出力を、駆動回路４３の７番目の端子ＲＸＤ２を介して、アナログ信号にて取得する。
【００４５】
以上、詳細に説明したように、本実施形態によると、生体（指）に対して赤外光を発光するＬＥＤ３１と、赤外光のうち、指から散乱した光を受光するＰＤ４２と、ＰＤ４２で受光した検出光に基づいて、生体情報（ここでは脈波）を取得する脈波取得・処理部７６と、を備えており、ＬＥＤ３１とＰＤ４２との間の素子間距離ｄが、上式（４）、（５）を満足している。これにより、Ｓ／Ｎを向上することができ、ＬＥＤ３１とＰＤ４２とを用いた脈波の取得及び生体情報（脈拍など）の検出処理を高精度に行うことができる。
【００４６】
また、本実施形態では、ＰＤ４２は、ＬＥＤ３１とは別のＬＥＤ４１とともに一のモジュール（第２モジュール２２）に含まれ、ＬＥＤ３１は、第２モジュールに含まれていない。すなわち、ＰＤ４２とＬＥＤ３１とは、別のモジュールに含まれているので、ＬＥＤ３１とＰＤ４２とを同時に動作させても、ＰＤ４２における、ＬＥＤ３１からの漏れ光による影響はない。この点からも、脈波を高精度に計測することが可能である。
【００４７】
また、本実施形態では、ＬＥＤ３１が、ＰＤ３２とともに、第２モジュール２２とは異なる他のモジュール（第１モジュール２１）に含まれている。これにより、ＩｒＤＡ規格に従って製造された安価なＩｒＤＡを２つ組み合わせることで、脈波を高精度に計測することが可能である。また、ＬＥＤやＰＤと生体との間の距離を大きくとらなくても済むので、ＩｒＤＡ装置１０の大型化を抑制し、ひいては携帯電話１００の大型化を抑制することができる。
【００４８】
また、本実施形態では、第１モジュール２１と第２モジュール２２とにおけるＬＥＤとＰＤのＹ軸方向に関する配列順が逆順となっている。これにより、図２（ａ）に示すように、ＩｒＤＡ装置１０のＸ軸方向に関する幅を、１つのモジュールのＸ軸方向に関する幅と同一にすることができる。したがって、ＩｒＤＡ装置１０の幅を最小にすることができる。これにより、携帯電話１００の小型化を図ることも可能である。
【００４９】
また、本実施形態では、脈波取得・処理部７６は、ＰＤ４２で受光した検出光から得られるアナログ信号を駆動回路４３の７番目の端子ＲＸＤ２を介して取得し、当該アナログ信号に基づいて、脈拍などの生体情報を検出する。このようにアナログ信号に基づいて（すなわち、各部６４〜７４でアナログ信号を処理して）、生体情報を得ることで、高精度に生体情報を検出することができる。
【００５０】
なお、上記実施形態では、図２（ａ）に示すように、それぞれＬＥＤ、ＰＤを有する第１、第２モジュール２１，２２を反転配置して、ＩｒＤＡ装置１０を構成しているが、これに限られるものではない。例えば、図１０（ａ）に示すように、第１、第２モジュール２１，２２を反転配置せずに、各モジュールのＸ軸方向の位置をずらすこととしても良い。このようにしても、上記実施形態と同様、脈波測定及び赤外線通信を高精度に行うことが可能となる。また、図１０（ｂ）に示すように、第１、第２モジュール２１，２２を反転配置せずに、Ｘ軸方向に並べるようにしても良い。このような構成は、携帯電話１００においてＸ軸方向に関する幅を広く取ることができる場合に有効な構成である。なお、上記各変形例のいずれにおいても、上記実施形態と同様、素子間距離ｄが、上式（４），（５）の範囲を満足するものとする。
【００５１】
更に、図１１（ａ）、図１１（ｂ）に示すように、第２モジュール２２に代えて、ＬＥＤ２３を単体で設けることとしても良い。この場合にも、上記実施形態と同様、脈波測定及び赤外線通信を行うことができる。また、ＬＥＤ２３として、ＩｒＤＡ規格に従ったモジュールを用いないことから、指向角が大きいＬＥＤを用いることもできる。これにより、図８（ａ）のシミュレーションに示すように、ＬＥＤ（又はＰＤ）と生体（指）との距離Ｌを小さくすることができる。したがって、携帯電話１００の小型化を図ることが可能となる。なお、上記各変形例のいずれにおいても、上記実施形態と同様、素子間距離ｄが、上式（４），（５）の範囲を満足するものとする。
【００５２】
なお、上記実施形態及び各変形例では、少なくとも１つのＩｒＤＡモジュールを用いる場合について説明した。しかしながら、これに限られるものではなく、単体のＬＥＤと単体のＰＤを、上式（４）、（５）を満たすように配置することとしても良い。このようにしても、上記実施形態及び各変形例と同様の効果を得ることができる。また、ＬＥＤとＰＤを１つずつ用意すればよいので、部品点数の削減、及び装置の小型化を図ることができる。
【００５３】
なお、上記実施形態では、脈波を検出する生体の一部として、指を用いる場合について説明したが、これに限らず、耳たぶなどの他の生体の一部を用いて脈波を検出することとしても良い。
【００５４】
なお、上記実施形態では、携帯端末が携帯電話である場合について説明したが、これに限られるものではない。携帯端末として、その他の携帯端末、例えば、ＰＨＳ（Personal Handy-phone System）やＰＤＡ（Personal Digital Assistant）、スマートフォンなどを採用することとしても良い。また、上記実施形態では、携帯端末の形態が折り畳み型である場合について説明したが、携帯端末の形態としては種々の形態を採用することができる。
【００５５】
上述した実施形態は本発明の好適な実施の例である。但し、これに限定されるものではなく、本発明の要旨を逸脱しない範囲内において種々変形実施可能である。
【符号の説明】
【００５６】
１０  ＩｒＤＡ装置（生体情報検出装置）
２１  第１モジュール（他のモジュール）
２２  第２モジュール（一のモジュール）
３１  ＬＥＤ（検出用発光素子）
４２  ＰＤ（検出用受光素子）
７６  脈波取得・処理部（取得部）
１００  携帯電話（携帯端末）
【図１】
2012050746.tif 000004
【図２】
2012050746.tif 000005
【図３】
2012050746.tif 000006
【図４】
2012050746.tif 000007
【図５】
2012050746.tif 000008
【図６】
2012050746.tif 000009
【図７】
2012050746.tif 000010
【図８】
2012050746.tif 000011
【図９】
2012050746.tif 000012
【図１０】
2012050746.tif 000013
【図１１】
2012050746.tif 000014